(57)【特許請求の範囲】
【請求項１】
カメラ本体の前面にて、撮影レンズの前面を覆う位置と、該撮影レンズを露呈する位置とに移動可能な金属材料により形成されたバリアを有するカメラにおいて、
上記カメラ本体の一端部に設けられ、上記バリアを移動ガイドするための溝である第１のガイド部と、
上記カメラ本体の他端部に設けられ、上記バリアを移動ガイドするための溝である第２のガイド部と、
上記バリアと一体的に形成され、上記第１のガイド部と係合するための爪である第１の係合部と、
上記バリアに設けられた取付孔と、
先端部に上記第２のガイド部と係合するための爪部である第２の係合部と、螺旋部とが一体的に形成された係合部材と、
螺旋孔を有し、上記係合部材の螺旋部が上記取付孔を通して該螺旋孔とが螺合し上記バリアに固定される固定部材と、
を具備し、上記係合部材の上記第２の係合部が、上記第２のガイド部を移動可能に上記バリアに取付られることを特徴とする金属材料により形成されたバリアを有するカメラ。
【請求項２】
カメラ本体の前面にて、撮影レンズの前面を覆う位置と、該撮影レンズを露呈する位置とに移動可能な金属材料により形成されたバリアを有するカメラにおいて、
上記カメラ本体の一端部に設けられ、上記バリアを移動ガイドするための溝である第１のガイド部と、
上記カメラ本体の他端部に設けられ、上記バリアを移動ガイドするための溝である第２のガイド部と、
上記バリアと一体的に形成され、上記第１のガイド部と係合するための爪部である第１の係合部と、
先端部に上記第２のガイド部と係合するための爪部である第２の係合部と、上記バリアに固定するための螺旋部とが一体的に形成された係合部材と、
上記バリアに設けられ、上記係合部材の螺旋部が螺合する螺旋孔と、
を具備し、上記係合部材の上記第２の係合部が、上記第２のガイド部を移動可能に上記バリアに取付られることを特徴とする金属材料により形成されたバリアを有するカメラ。
【発明の詳細な説明】
【０００１】
【発明の属する技術分野】
この発明は、カメラ本体の前面に移動可能に設けられて、撮影レンズのカバーとして機能するバリアを有するカメラに関する。
【０００２】
【従来の技術】
一般に、カメラには、そのカメラ本体の前面に撮影レンズ、ファインダ、及び各種の測定用窓が配されている。そこで、カメラには、カメラ前面に摺動自在にバリアを配して、このバリアで、撮影レンズ、ファインダ、及び各種の測定用窓を覆い保護し、撮影時にバリアを摺動させて、撮影レンズ、ファインダ、及び各種の測定用窓を露呈するバリアタイプがある。
【０００３】
また、最近のカメラにおいては、高級感を持たせるために、カメラ本体の外装を金属材料で形成するように構成したものがある。このような金属材料を用いたカメラにおいては、バリアタイプを形成する場合、カメラ本体の前面に摺動自在に組付けるバリアも、金属材料で形成することが求められる。
【０００４】
ところが、上記バリアを有するカメラでは、特に、バリアを金属材料で製作して、その両端に爪部を形成し、その両端の爪部を、弾性を利用してカメラ本体の前面の上下に配されるガイド部に摺動自在に架設するように組付けると、その爪部の金属表面等に亀裂や変形が発生したりする虞を有し、組立て作業が面倒であるという不具合を有する。さらに、カメラ本体へのバリアの脱着作業を、バリアを弾性変形させた状態で行うため、バリアがカメラ本体の前カバーに接触する場合があり、その場合には前カバーに傷などをつけてします虞を有する。
【０００５】
また、バリアをカメラ本体の前面に摺動自在に組付けた状態から保守点検等のために分解する場合には、バリアに亀裂、変形等を発生させることなく、カメラ本体より離脱させるのが困難なために、前面カバーとともに、分解しなければならず、その分解作業が非常に煩雑となるという不都合を有する。
【０００６】
係る事情は、金属材料製のバリアに限るものでなく、樹脂材料製のバリアにおいても、カメラ本体への着脱作業において、破損等を起こす虞があり、その作業が煩雑であるという不都合を有する。
【０００７】
【発明が解決しようとする課題】
以上述べたように、従来のバリアを有するカメラでは、バリアのカメラ本体への着脱時に亀裂、変形を含む損傷が発生する虞を有し、その作業が煩雑であり、バリアの損傷を防止することが困難であるという不都合を有する。
【０００８】
この発明は上記の事情に鑑みてなされたもので、簡易な構成で、且つ、簡便にして容易なバリア着脱作業を実現し得るようにしたバリアを有するカメラを提供することを目的とする。
【０００９】
【課題を解決するための手段】
この発明は、カメラ本体の前面にて、撮影レンズの前面を覆う位置と、該撮影レンズを露呈する位置とに移動可能な金属材料により形成されたバリアを有するカメラにおいて、上記カメラ本体の一端部に設けられ、上記バリアを移動ガイドするための溝である第１のガイド部と、上記カメラ本体の他端部に設けられ、上記バリアを移動ガイドするための溝である第２のガイド部と、上記バリアと一体的に形成され、上記第１のガイド部と係合するための爪である第１の係合部と、上記バリアに設けられた取付孔と、先端部に上記第２のガイド部と係合するための爪部である第２の係合部と、螺旋部とが一体的に形成された係合部材と、螺旋孔を有し、上記係合部材の螺旋部が上記取付孔を通して該螺旋孔とが螺合し上記バリアに固定される固定部材と、を具備し、上記係合部材の上記第２の係合部が、上記第２のガイド部を移動可能に上記バリアに取付られるように構成したものである。
【００１０】
上記構成によれば、バリアは、その第１の係合部をカメラ本体の第１のガイド部もしくは第２のガイド部の一方に移動可能に係合させた状態で、係合部材の第２の係合部を、カメラ本体の第１のガイド部もしくは第２のガイド部の他方に移動可能に係合させると共に、該係合部材の螺旋部を固定部材の螺旋孔に螺合させてバリアに固定することにより、該係合部材がカメラ本体に移動可能に組付けられる。そして、バリアをカメラ本体から離脱させる場合には、係合部材の螺旋部を固定部材の螺旋孔より外してバリアから離脱することにより、上記組付け手順と略逆の手順で行われる。これにより、バリアに対して亀裂や破損の原因となる無理な力を付与することなく、カメラ本体への着脱が可能となり、簡便にして容易なバリア着脱作業が可能となる。
【００１１】
また、この発明は、カメラ本体の前面にて、撮影レンズの前面を覆う位置と、該撮影レンズを露呈する位置とに移動可能な金属材料により形成されたバリアを有するカメラにおいて、上記カメラ本体の一端部に設けられ、上記バリアを移動ガイドするための溝である第１のガイド部と、上記カメラ本体の他端部に設けられ、上記バリアを移動ガイドするための溝である第２のガイド部と、上記バリアと一体的に形成され、上記第１のガイド部と係合するための爪部である第１の係合部と、先端部に上記第２のガイド部と係合するための爪部である第２の係合部と、上記バリアに固定するための螺旋部とが一体的に形成された係合部材と、上記バリアに設けられ、上記係合部材の螺旋部が螺合する螺旋孔と、を具備し、上記係合部材の上記第２の係合部が、上記第２のガイド部を移動可能に上記バリアに取付られるように構成したものである。
【００１２】
上記構成によれば、バリアは、その第１の係合部をカメラ本体の第１のガイド部もしくは第２のガイド部の一方に移動可能に係合させた状態で、係合部材の第２の係合部を、カメラ本体の第１のガイド部もしくは第２のガイド部の他方に移動可能に係合させると共に、該係合部材の螺旋部をバリアの螺旋孔に螺合させてバリアに固定することにより、該係合部材がカメラ本体に移動可能に組付けられる。そして、バリアをカメラ本体から離脱させる場合には、係合部材の螺旋部を螺旋孔より外してバリアから離脱することにより、上記組付け手順と略逆の手順で行われる。これにより、バリアに対して亀裂や破損の原因となる無理な力を付与することなく、カメラ本体への着脱が可能となり、簡便にして容易なバリア着脱作業が可能となる。
【００１５】
【発明の実施の形態】
以下、この発明の実施の形態について、図面を参照して詳細に説明する。
【００１６】
図１及び図２は、この発明の一実施の形態に係るバリアを有するカメラの外観構成を示すもので、図１はカメラ前面を示し、図２は、カメラ下面を示す。
【００１７】
即ち、カメラ前面の前カバー１０には、鏡枠ユニット１１が前飾り１２を介在して配されると共に、ストロボ窓１３が図示しないストロボユニットの前面を覆うように配される。この前飾り１２は、前カバー１０に対して接着剤を用いて接着されて取付けられる。
【００１８】
そして、前カバー１０の前面には、上記鏡枠ユニット１１を覆うようにバリア１４が矢印Ａ、Ｂ方向に摺動自在に組付けられる。このバリア１４は、アルミニウム、ステンレス、マグネシューム、チタン等の金属材料で、例えばプレス加工技術等により成型される。このバリア１４には、図３に示すように例えば２個の嵌合孔１４１が所定の間隔に設けられ、この嵌合孔１４１に対して樹脂材料製のバリアモールド１５に設けられる嵌合突部１５１が嵌合されて一体的に取付けられる。このバリアモールド１５は、バリア１４の開閉操作時のクリック感を与える機能や前カバー１０に配される電源スイッチ等の各種スイッチ類のオンオフ切換部等が設けられる。
【００１９】
上記前カバー１０は、例えば上記バリア１４と同様の金属材料で形成され、その内壁に樹脂材料で形成した前モールド１６が、所定の位置に接着されて取付られる。前カバー１０及び前モールド１６には、その前面側上部に第１のガイド部である挿通孔１０１及び上バリアガイド溝部１６１が矢印Ａ、Ｂ方向（移動方向）に所定の長さにわたって設けられる。そして、前モールド１６の下面には、第２のガイド部である下バリアガイド溝部１６２が上記上バリアガイド溝部１６１と略平行に設けられる。
【００２０】
そして、上記バリア１４には、図４に示すように前カバー１０の前面に対応して湾曲状に形成され、その一端部に第１の係合部である鋭角に折曲した案内爪部１４２が形成される。この案内爪部１４２には、移動方向に対して直交する方向に突出された複数、例えば２個の案内凸部１４３が移動方向に所定の間隔を有して形成され、この案内凸部１４３が上記前カバー１０の挿通孔１０１に挿通されて前モールド１６の上バリアガイド溝部１６１に移動自在に係合される。
【００２１】
また、バリア１４の他端部には、バリア板取付部１４４が一体的に設けられる。このバリア板取付部１４４には、その内壁に複数、例えば２個の位置決め突部１４５が移動方向に所定の間隔を有して設けられ、この２個の位置決め突部１４５に並設して２個の取付孔１４６が設けられる。
【００２２】
このバリア板取付部１４４は、固定部材を構成するバリア板１７を介して上記前モールド１６の下バリアガイド溝部１６２に対向配置される。このバリア板１７には、２個の位置決め孔１７１及び螺旋孔１７２が上記バリア１４の位置決め突部１４５及び取付孔１４６に対応して設けられ、その位置決め孔１７１にバリア板取付部１４４の位置決め突部１４５が挿入されて該バリア板取付部１４４の内壁に位置決めされて組付けられる。ここで、バリア板１７の螺旋孔１７２には、バリア１４のバリア板取付部１４４の取付孔１４６が対向される。
【００２３】
このようにバリア１４のバリア板取付部１４４に組付けられたバリア板１７は、バリア１４の案内爪部１４２が上記前モールド１６の上バリアガイド溝部１６１に移動自在に係合された状態で、その螺旋孔１７２が前モールド１６の下バリアガイド溝部１６２に対向される。そして、バリア板１７には、その２個の螺旋孔１７２に対して係合部材であるバリア案内爪部材１８がバリア１４のバリア板取付部１４４に設けられた取付孔１４５を通して螺着され、この状態で、バリア案内爪部材１８は、バリア１４と一体的に移動可能となる。なお、バリア案内爪部１８は、バリア板１７の螺子孔１７２に螺合することにより、その位置決めが成される。
【００２４】
即ち、上記バリア案内爪部材１８には、その先端部に上記前モールド１６の下バリアガイド溝部１６２に移動自在に収容されるバリア爪部１８１が設けられ、その中間部に上記バリア板１７の螺旋孔１７２に螺合される螺旋部１８２が設けられる。また、バリア案内爪部材１８の基端には、例えば図示しないドライバーが挿着される嵌合凹１８３が設けられる。
【００２５】
これにより、バリア案内爪部材１８は、そのバリア爪部１８１をバリア板１７の螺旋孔１７２に挿通させて、前モールド１６の下バリアガイド溝部１６２に挿入した状態で、その嵌合凹１８３に上記ドライバー（図示せず）を挿入して回転させると、その螺旋部１８２がバリア板１７の螺旋孔１７２に螺合されて取付けられる。ここで、バリア１４は、その下面側がバリア案内爪部材１８のバリア爪部１８１により、前モールド１６の下バリアガイド溝部１６２に沿って矢印Ａ、Ｂ方向に移動可能に案内される。
【００２６】
また、上記前モールド１６には、その後方に合体用嵌合溝１６３が設けられ、この嵌合溝１６３には、カメラの後側を覆う外装部材である後カバー１９の嵌合部１９１が分割可能に嵌合されて組付けられる。この後カバー１９は、前カバー１０及び前モールド１６と共同してカメラ本体を構成する。
【００２７】
上記構成において、バリア１４を前面カバー１０の前面に組付ける場合には、先ず、バリア板取付部１４４の内壁側にバリア板１７を重ねて、その位置決め突部１４５をバリア板１７の位置決め孔１７１に挿入する。ここで、バリア板１７は、その螺旋孔１７２が、バリア１４のバリア板取付部１４４の取付孔１４６に対向された位置決め状態に組付けられる。
【００２８】
この状態で、バリア１４は、その一端部の案内爪部１４２が前カバー１０の挿通孔１０１に挿通されて前モールド１６の上バリアガイド溝部１６１に挿入される。そして、案内爪部１４２に設けられた案内凸部１４３が上バリアガイド溝部１６１の溝側壁に摺動可能に当接する。ここで、バリア１４は、その他端部のバリア板取付部１４４の取付孔１４６が、バリア板１７の螺旋孔１７２を介して前モールド１６の下バリアガイド溝部１６２に対向される。
【００２９】
次に、バリア１４のバリア板取付部１４４の外側より、バリア案内爪部材１８のバリア爪部１８１が挿入され、該バリア案内爪部材１８の螺旋部１８２がバリア板１７の螺旋孔１７２に螺合されて締着される。これにより、バリア案内爪部材１８は、そのバリア爪部１８１が前モールド１６の下バリアガイド溝部１６２に移動自在に係合される（図３参照）。
【００３０】
ここで、バリア１４は、その一端部の案内爪部１４２の案内凸部１４３が前モールド１６の上バリアガイド溝部１６１に移動自在に係合されて、その他端部のバリア板取付部１４４がバリア案内爪部材１８を介して前モールドの下バリアガイド溝部１６２に移動自在に組付けられて前カバー１０の前面に矢印Ａ、Ｂ方向に移動操作可能に配される。これにより、バリア１４は、矢印Ａ方向に移動付勢されると、その案内凸部１４３が前モールド１６の上バリアガイド溝部１６２に案内され、そのバリア板取付部１４４に取付けられるバリア案内爪部材１８のバリア爪部１８１が、前モールド１６の下バリアガイド溝部１６２に案内されて、鏡筒ユニット１１を覆う閉塞位置に移動される。
【００３１】
そして、バリア１４は、上記閉塞位置から矢印Ｂ方向に移動付勢されると、その案内凸部１４３が前モールド１６の上バリアガイド溝部１６１に案内され、そのバリア板取付部１４４に取付けられるバリア案内爪部材１８のバリア爪部１８１が前モールド１６の下バリアガイド溝部１６２に案内されて、鏡筒ユニット１１を撮影可能に露呈する露呈位置に移動される。
【００３２】
また、上記前カバー１０の前面に移動自在に組付けたバリア１４を、例えば保守点検等のために取り外す場合には、先ずバリア案内爪部材１８の螺旋部１８２とバリア板１７の螺旋孔１７２との螺合を緩めて、該バリア案内爪部材１８をバリア１４のバリア板取付部１４４より離脱させる。次に、バリア１４は、その他端部を前面方向に持ち上げて、一端部の案内凸部１４３を、前モールド１６の上バリアガイド溝部１６１及び前カバー１０の挿通孔１０１から離脱させることで、前面カバー１０の前面からの取り外しが完了される。
【００３３】
このように、上記カメラは、一端部に案内爪部１４２が一体的に設けられたバリア１４を、その案内爪部１４２を、前カバー１０の挿通孔１０１に挿通させて前モールド１６の上バリアガイド溝部１６２に移動自在に係合させた状態で、その他端部にバリア爪部１８１を有したバリア案内爪部材１８を、取付けることにより、そのバリア爪部１８１を前モールド１６の下バリアガイド溝部１６２に移動自在に係合させて、前カバー１０の前面に移動自在に組付けるように構成した。
【００３４】
これによれば、バリア１４を前カバー１０の前面から離脱させる場合にも、バリア案内爪部材１８をバリア１４の他端部から離脱させることで、取り外すことが可能となることにより、その着脱時に、亀裂や破損の原因となる無理な力を付与することなく作業することができるため、簡便にして容易なバリア着脱作業が実現される。
【００３５】
なお、上記実施の形態では、バリア案内爪部材１８をバリア板１７を用いてバリア１４のバリア板取付部１４４に取付けるように構成した場合で説明したが、これに限ることなく、その他、バリア案内爪部材１８をバリア１４に対して直接的に着脱可能に取付けるように構成することも可能である。
【００３６】
また、上記実施の形態では、バリア１４の上部である一端部に案内爪部１４２を一体的に形成し、バリア１４の下部である他端部にバリア案内爪部材１８を着脱自在に配するように構成した場合で説明したが、これに限ることなく、例えばバリア１４の上部である一端部にバリア案内爪部材１８を着脱自在に配し、バリア１４の下部である他端部に案内爪部１４２を一体的に配するように構成することも可能である。
【００３７】
さらに、上記実施の形態では、バリア１４を金属材料で形成して、その内部にバリアモールド１５を配するように構成したバリア構造に適用した場合で説明したが、これに限ることなく、金属材料製のみや、樹脂材料製のバリアにおいても適用可能である。
【００３８】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００３９】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００４０】
【発明の効果】
以上詳述したように、この発明によれば、簡易な構成で、且つ、簡便にして容易なバリア着脱作業を実現し得るようにしたバリアを有するカメラを提供することができる。
【図面の簡単な説明】
【図１】この発明の一実施の形態に係るバリアを有するカメラの前面を示した平面図である。
【図２】図１のバリアを有するカメラの下面を示した平面図である。
【図３】図１のバリアを取出して示した分解斜視図である。
【図４】図１の要部を上下方向に断面して示した断面図である。
【符号の説明】
１０  …  前カバー
１０１  …  挿通孔
１１  …  鏡枠ユニット
１２  …  前飾り
１３  …  ストロボ窓
１４  …  バリア
１４１  …  嵌合孔
１４２  …  案内爪部
１４３  …  案内凸部
１４４  …  バリア板取付部
１４５  …  位置決め突部
１４６  …  取付孔
１５  …  バリアモールド
１５１  …  嵌合突部
１６  …  前モールド
１６１  …  上バリアガイド溝部
１６２  …  下バリアガイド溝部
１６３  …  嵌合溝
１７  …  バリア板
１７１  …  位置決め孔
１７２  …  螺旋孔
１８  …  バリア案内爪部材
１８１  …  バリア爪部
１８２  …  螺旋部
１８３  …  嵌合凹
１９  …  後カバー
１９１  …  嵌合部
【図１】
0004115726.tif 000002
【図２】
0004115726.tif 000003
【図３】
0004115726.tif 000004
【図４】
0004115726.tif 000005